(57)【要約】【課題】  画像処理のパラメータ項目数や、それぞれのパラメータがとり得る値の範囲が広い場合であっても、簡単にこれらの画像処理パラメータを設定できるようにする。【解決手段】  任意の画像に対して画像処理を行うためのパラメータの値に応じてサンプル画像を作成する画像処理手段と、前記パラメータの値の段階数より少ない数のサンプル画像を所定の位置に配置した設定シートを作成する作成手段と、前記作成手段によって作成された設定シートを印刷する印刷手段を有する。【選択図】  図７
2006281663.tif 000002
【特許請求の範囲】
【請求項１】
任意の画像に対して画像処理を行うためのパラメータの値に応じてサンプル画像を作成する画像処理手段と、
前記パラメータの値の段階数より少ない数のサンプル画像を所定の位置に配置した設定シートを作成する作成手段と、
前記作成手段によって作成された設定シートを印刷する印刷手段を有することを特徴とする画像処理装置。
【請求項２】
前記作成手段は、前記パラメータの値の中心値、上限値あるいは下限値に応じて作成されたサンプル画像のうち、少なくとも１つを含んだ設定シートを作成することを特徴とする請求項１に記載の画像処理装置。
【請求項３】
前記パラメータを選択する選択手段を有することを特徴とする請求項１に記載の画像処理装置。
【請求項４】
前記選択手段によって複数のパラメータを選択することが可能であり、前記作成手段は、前記選択手段で選択された複数のパラメータの値の段階数の組み合わせ総数より少ない数のサンプル画像を所定の位置に配置した設定シートを作成することを特徴とする請求項３に記載の画像処理装置。
【請求項５】
前記パラメータは、少なくとも明るさあるいは彩度、あるいはこれらの組み合わせであることを特徴とする請求項１乃至２に記載の画像処理装置。
【請求項６】
前記パラメータは、少なくとも赤目補正処理を含むことを特徴とする請求項１乃至２に記載の画像処理装置。
【請求項７】
任意の画像に対して画像処理を行うためのパラメータの値に応じてサンプル画像を作成する画像処理ステップと、
前記パラメータの値の段階数より少ない数のサンプル画像を所定の位置に配置した設定シートを作成する作成ステップと、
前記作成ステップによって作成された設定シートを印刷する印刷ステップを有することを特徴とする画像処理方法。
【請求項８】
前記作成ステップは、前記パラメータの値の中心値、上限値あるいは下限値に応じて作成されたサンプル画像のうち、少なくとも１つを含んだ設定シートを作成することを特徴とする請求項７に記載の画像処理装置。
【請求項９】
前記パラメータを選択する選択ステップを有することを特徴とする請求項７に記載の画像処理装置。
【請求項１０】
前記選択ステップによって複数のパラメータを選択することが可能であり、前記作成ステップは、前記選択ステップで選択された複数のパラメータの値の段階数の組み合わせ総数より少ない数のサンプル画像を所定の位置に配置した設定シートを作成することを特徴とする請求項９に記載の画像処理装置。
【請求項１１】
所定のパラメータで処理された複数のサンプル画像が所定の位置に配列された設定シート上に記されたマークを読み取る読取手段と、
前記読取手段で読み取られたマークの位置を検出する検出手段と、
前記検出手段によって検出された位置に応じたパラメータの値に基づいて、前記サンプル画像に対して画像処理を行う画像処理手段を有することを特徴とする画像処理装置。
【請求項１２】
前記設定シートの位置に対応して前記サンプル画像に画像処理を行うためのパラメータの値を記憶した記憶手段を有することを特徴とする請求項１０に記載の画像処理装置。
【請求項１３】
前記読取手段は前記パラメータ値の中心値で作成されたサンプル画像が円の中心として配置された設定シート上のマークを読み取り、前記検出手段は中心からの距離と角度に応じて前記マークの位置を検出することを特徴とする請求項１０に記載の画像処理装置。
【請求項１４】
前記設定シートは、前記パラメータの中心値、上限値あるいは下限値に応じて作成されたサンプル画像のうち、少なくとも１つを含んでいることを特徴とする請求項１０に記載の画像処理装置。
【請求項１５】
前記前記パラメータは、少なくとも明るさあるいは彩度、あるいはこれらの組み合わせであることを特徴とする請求項１０に記載の画像処理装置。
【請求項１６】
前記パラメータは、少なくとも赤目補正処理を含むことを特徴とする請求項１０に記載の画像処理装置。
【請求項１７】
所定のパラメータで処理された複数のサンプル画像が所定の位置に配列された設定シート上に記されたマークを読み取る読取ステップと、
前記読取ステップで読み取られたマークの位置を検出する検出ステップと、
前記検出ステップによって検出された位置に応じたパラメータの値に基づいて、前記サンプル画像に対して画像処理を行う画像処理ステップを有することを特徴とする画像処理ステップ。
【請求項１８】
前記設定シートの位置に対応して前記サンプル画像に画像処理を行うためのパラメータの値を記憶した記憶部を有し、前記画像処理ステップは前記記憶部のパラメータの値に基づいて、前記サンプル画像に対して画像処理を行うことを特徴とする請求項１７に記載の画像処理方法。
【請求項１９】
前記読取ステップは前記パラメータ値の中心値で作成されたサンプル画像が円の中心として配置された設定シート上のマークを読み取り、前記検出ステップは中心からの距離と角度に応じて前記読取ステップで読み取った前記マークの位置を検出することを特徴とする請求項１８に記載の画像処理方法。
【発明の詳細な説明】
【技術分野】
【０００１】
本発明は、デジタルカメラで撮影した画像データを格納した記憶媒体を装着し、記憶媒体上の画像データを読み出して印刷する際の画像処理パラメータ値の設定方法に関する。
【背景技術】
【０００２】
近年、デジタルカメラの普及に伴い、デジタルカメラで撮影した画像を家庭でプリントアウトする需要が高まってきている。一般に、デジタルカメラで撮影した画像をプリントアウトするためには、パーソナルコンピュータ（以下ＰＣと呼ぶ）に記憶媒体読取装置（以下メモリカードリーダと呼ぶ）を接続し、デジタルカメラで撮影した画像を保存した記憶媒体（以下メモリカードと呼ぶ）をメモリカードリーダに装着して、画像データをＰＣに取り込む。そして、ＰＣとプリンタを接続して、プリントアウトを行う。
【０００３】
ＰＣに不慣れな利用者が簡単にプリントアウトするための装置として、所謂ダイレクトプリンタ装置や、一台で複数の機能を提供することができる所謂マルチファンクションプリンタ装置（以下ＭＦＰ装置と呼ぶ）が市販されている。これらの装置は、装置上にデジタルカメラで撮影した画像を保存したメモリカードを装着するためのメモリカードスロットを備えている。また、装置上の操作部を操作して、印刷する画像の選択や、用紙のサイズ、プリント枚数などの指定をすることで、ＰＣに不慣れな利用者であっても、手軽に印刷物を得ることが可能である。
【０００４】
さらに、ＭＦＰ装置ではこれらのプリントアウトのための設定をより簡単に指定するための方法として、設定シートによるプリントアウトするための設定方法が提案されている（例えば、特許文献１参照）。特許文献１にて提案されている指定方法は、まず、ＭＦＰ装置に装着されたメモリカードの画像と、画像を選択するためのマークをつける領域とを並べて一覧にして、印刷設定用シート印刷する。利用者は、印刷をしたい画像に対応するマークを印刷設定用シートにチェックする。そして、マーク済みの印刷設定シートをＭＦＰ装置の原稿台へ載せ、スキャンすることにより、マークを検出する。その後、検出されたマークに対応する画像を印刷する。これら一連の動作により、利用者が簡単に所望の画像を印刷することができる。
【０００５】
さらに、指定された画像ファイルに対して、画像処理パラメータ値を変更したサンプルを複数並べて印刷し、その中のうち、１つのサンプルをマークする。そして、マーク済みの印刷設定シートで指定された画像処理パラメータ値にて処理を施した印刷物を得ることができる。
【０００６】
ところが、特許文献１に示す画像処理パラメータの指定方法では、画像処理パラメータ値を変更した複数のサンプルの中から選択してプリントアウトする方法であるため、画像処理のパラメータ項目が多岐にわたる場合や、それぞれのパラメータがとり得る値の範囲が広い場合、一度に多くのサンプルを印刷する必要性が生じ、用紙や、インクなどの記録材を大量に消費してしまうという問題があった。たとえば、設定可能な画像処理パラメータが２種類あり、且つそれぞれが９段階設定可能な場合、全ての組み合わせパラメータ値を選択可能にするためには、９ｘ９＝８１サンプルを印刷する必要がある。そのため、記録材を消費してしまうだけでなく、設定シートをプリントアウトするための時間も多くかかってしまう。また、これとは反対に、用紙や記録材の消費を抑えるために、サンプル数を減らしてしまうと、すべてのパラメータ値の組み合わせでサンプルが印刷されないため、選択できるサンプル数が限られてしまう。その結果、本来設定できるはずの値であるにも関わらず、すべてのサンプルがプリントアウトされないため、十分な効果が得られない画像処理パラメータ値を選択してプリントアウトすることを余儀なくされてしまうという問題もあった。
【特許文献１】特開２００２−２７３９７３号
【発明の開示】
【発明が解決しようとする課題】
【０００７】
そこで、画像処理のパラメータ項目数や、それぞれのパラメータがとり得る値の範囲が広い場合であっても、簡単にこれらの画像処理パラメータを設定できるようにすることが望まれている。
【課題を解決するための手段】
【０００８】
上記課題を解決するために、任意の画像に対して画像処理を行うためのパラメータの値に応じてサンプル画像を作成する画像処理手段と、前記パラメータの値の段階数より少ない数のサンプル画像を所定の位置に配置した設定シートを作成する作成手段と、前記作成手段によって作成された設定シートを印刷することにより、画像処理パラメータ項目が多岐にわたる場合や、画像処理パラメータ値がとり得る範囲が広い場合でも簡単にこれらの画像処理パラメータ値を設定することができる。
【０００９】
また、所定のパラメータで処理された複数のサンプル画像が所定の位置に配列された設定シート上に記されたマークを読み取る読取手段と、前記読取手段で読み取られたマークの位置を検出する検出手段とを備えることによって、検出されたマークの位置に応じたパラメータの値に基づいて、前記サンプル画像に対して画像処理を行えるようにした。
【発明の効果】
【００１０】
従来、画像処理パラメータ値の設定において、組み合わせが発生する場合などでは、記録材を多く消費してしまうといった問題や、用紙サイズによるサンプル数の制限から、必ずしも十分な処理パラメータ値の設定を行うことができなかったが、本発明によると、マークする位置により画像処理パラメータ値を設定するため、処理パラメータとしてより細かく設定することが可能となる。特に、設定するパラメータ項目や、パラメータ値のとり得る範囲が大きい場合、各パラメータの設定を高い精度で、かつ簡単に指定することが可能となり、利用者の利便性が向上する。
【発明を実施するための最良の形態】
【００１１】
（第１の実施例）
以下、添付図面を参照して本発明の好適な実施の形態を説明する。図１は、本発明の実施の形態に係るマルチファンクションプリンタ装置（以下、ＭＦＰ装置と呼ぶ）１０００の概観斜視図である。このＭＦＰ１０００は、ホストコンピュータ（ＰＣ）からデータを受信して印刷する通常のＰＣプリンタとしての機能と、ＰＣからの動作指示により原稿台に置かれた原稿を読み取るスキャン機能、原稿台の原稿を複写して印刷するコピー機能、メモリカードに保存されている画像データを読み取って印刷する機能、或いはデジタルカメラからの画像データを受信して印刷する機能、を備えている。１００１は上部カバーである。図１において、上部カバーは閉じられた状態を表しており、上部カバー１００１をあけることにより、原稿を原稿台へ置くことができる（不図示）。１００２は排紙トレーである。図１において、排紙トレー１００２は閉じられた状態を表しており、プリントを行う際に、トレーを開くことで、プリントアウトされた用紙の排紙トレーとして機能する。１００３はデジタルカメラを接続するためのコネクタである。コネクタ１００３と、デジタルカメラ（不図示）を接続することで、デジタルカメラ内部のメモリに保存されている画像データ読み出して、直接ＭＦＰ装置１０００で印刷することができる。１００４はカードスロットである。ここにメモリカードが挿入され、メモリカードに保存されている画像データを読み出して印刷することができる。このメモリカードとしては、例えばコンパクトフラッシュ（登録商標）メモリ、スマートメディア、メモリスティック等がある。１００５は液晶表示部である。この液晶表示部１００５にはメモリカードに保存されている画像の中からプリントしたい画像を検索する場合などに、１コマ毎の画像やインデックス画像などを表示することに用いられる。また、ＭＦＰ装置１０００のコピー時の用紙サイズ、倍率、コピー濃度などの各種設定や、装置のメンテナンス機能などを操作するための画面を表示するために使用される。さらに、ＭＦＰ装置１０００に何らかの異常が発生した場合に、ＭＦＰ装置の状態を示す画面や、禁止されている操作が行われた際に操作のガイダンスを示す画面などを表示する際にも用いられる。１００６はＭＦＰ装置１０００の操作を行うための操作部である。操作部１００６では、上下左右キーや、コピーモードキー、印刷開始キーなどの操作用のキーを複数そなえており、これらキーを押下することで液晶表示部に表示される画面と連動してＭＦＰ装置１０００操作することができる。またＭＦＰ装置１０００の背面には、ＰＣと接続するための不図示のコネクタを備えており、ＰＣからの印刷データを受けることで、ＰＣプリンタ装置として機能する。また、ＰＣからの動作指示により原稿台に置かれた原稿を読み取るスキャナ装置をとして機能する。
【００１２】
図２は、本発明におけるＭＦＰ装置１０００の機能ブロック図である。２０１は通信手段である。通信手段２０１は、ＰＣ用コネクタ（不図示）に接続されたＰＣとのデータ通信や、デジタルカメラ接続用のコネクタ１００３に接続されたデジタルカメラとのデータ通信を制御するためのものである。２０２は操作制御手段である。操作制御手段２０２は、ＭＦＰ装置１０００の操作部１００６の各種キーの押下を検出して、論理的なキー操作メッセージに変換し、表示制御手段２０３へ送信するための手段である。表示制御手段２０３は、操作制御手段２０２から送信されるキー操作メッセージに応じて、コピー時のコピー枚数、用紙サイズなどの設定を液晶表示部１００５に表示させるための手段である。２０４は、ドキュメント解析手段である。ドキュメント解析手段２０４は、スキャンエンジン制御手段２０５にてデータ化された原稿上のドキュメントを解析するための手段である。ドキュメント解析手段２０４では、設定シートによって指示されたマークを読み出し、フォトプリント用の印刷設定、画像処理設定情報を生成して、フォトプリントの実行を開始するための手段である。２０５はスキャンエンジン制御手段である。スキャンエンジン制御手段２０５は、コピーや設定シート原稿を読み取るためのスキャン制御を行うための手段であり、ＰＣスキャン時にも使用される。２０６はシステム制御手段である。システム制御手段２０６は、各種制御手段の調停を行うための手段であり、物理的リソースの排他制御や、シーケンス制御、各種エラーや、インク残量などのＭＦＰ装置１０００の状態管理も行う。２０７はプリントエンジン制御手段である。プリントエンジン制御手段２０７は、インク適の吐出制御や、用紙の給紙や排紙、プリントヘッドの制御など、コピー印刷や、デジタルカメラやメモリカードからの印刷、ＰＣ印刷などプリント処理に関わる制御を行うための手段である。２０８は画像処理手段である。画像処理手段２０８は、ＰＣから送信された印刷データを変換し、プリントエンジン制御手段２０７へ送信するための手段である。また、デジタルカメラやメモリカードからのプリントにおける画像ファイルの伸張処理や、印刷レイアウトに配置する処理、スケーリング処理や色処理、２値化処理、明るさや彩度、赤目補正処理などの画像処理も行う。２０９はメモリカード制御手段である。メモリカード制御手段２０９は、カードスロット１００４に装着されたメモリカードに保存されている画像ファイルの読み書き処理を行う。また、メモリカードに保存されている画像データ情報の詳細な解析や、ディレクトリ管理などの処理も行う。
【００１３】
以上の構成に基づいて、設定シートを使用した画像処理パラメータ値設定の手順を以下に説明する。
【００１４】
図３は、設定シートの印刷例を示す図である。設定シートには、シートの設定概要を示すガイド領域３０１を備える。図３における円の中心には、画像処理パラメータの中心となるサンプル画像３０４が中央に配置される。画像処理パラメータ値のとり得る最大値に設定されたサンプル画像３０２が１２時方向の最も外側に配置される。また、マーク可能な範囲として外側の円３０５がガイドとして印刷され、この外側の円３０５の内側にあたる範囲３０３が有効なマーク範囲として示される。また中央の円３０６は、画像処理パラメータの中心値から最大値、もしくは最小値からの中間の値をとるサンプル画像群の範囲をあらわしている。ここで、パラメータとして「明るさ」「彩度」の２つを例にとる。このパラメータはユーザが操作部１００６にて選択することができるようにしてもよい。３０７は画像処理パラメータ値の変化の方向を示すためのガイドである。ここでは、円に対して垂直方向に下側から上側に向かう方向に対して、画像が明るくなるようにサンプルが配置されていることを表している。また水平方向に対して画像の彩度が変更されるようにサンプルが配置されていることを表している。そのため、１２時の位置は、明るさが最大になるように画像処理パラメータ値が決定されており、また、６時の位置は明るさが最小になるように画像処理パラメータが決定されている。また、水平方向については、９時の位置を最も淡い彩度として、３時方向に向けて彩度が高くなるように画像処理パラメータ値が決定されている。これらの画像の位置と画像処理パラメータ値との対応については以降で詳細な説明を行うためここでは省略する。３０８は、設定シートであることを示す画像処理設定シート識別マーカ３０８である。
【００１５】
なお、本実施例では、円状にサンプル画像を配置して、サンプルの変更度合いを表現した設定シートの印刷を行ったが、本実施例で示したような「明るさ」「彩度」など画像処理のパラメータが２つの場合、縦方向、横方向の矩形にてサンプルを配置してもよい。また、画像処理パラメータの項目数や、パラメータ値がとり得る範囲など、用途に応じて自由に配置可能であることは言うまでもない。
【００１６】
図４は、設定シート上にマークされた位置に応じて、画像処理パラメータ値を決定する方法の詳細な手順を示すフローチャートである。このフローでは、あらかじめ、ＭＦＰ装置１０００が操作され、設定シートが印刷されており、必要な項目がマーク済みであるとする。
【００１７】
始めに、ステップ４０１にてＭＦＰ装置の操作部１００６を操作して、原稿台に置かれたドキュメントを読み取る。次に、ステップ４０２にて、読み取ったドキュメントが設定シートかどうかを判断する。設定シートかどうかの判断には、画像処理設定シート識別マーカ３０８があるかどうかを読み込むことにより達成される。ステップ４０２にて、設定シートではないと判断された場合、以降の処理は行われずに終了する。その際、ＭＦＰ装置１０００の液晶表示部１００５に、設定シートではない旨を表示するのも良い。ステップ４０２にて設定シートであると判断された場合、ステップ４０３にて画像処理パラメータ用のマーク位置を検出する。ステップ４０４では、ステップ４０３にて検出した画像処理パラメータ用のマーク位置が、適切な範囲内にあるかどうかを判断する。ステップ４０４にて、マーク位置が適切な範囲内にない場合、ステップ４０６に進み、あらかじめ決められた画像処理パラメータ値に設定する。ステップ４０４にて、マーク位置が適切な範囲にある場合は、ステップ４０５に進み、マーク位置に対応する画像処理パラメータ値を設定する。ステップ４０６では、エラーとしてもう一度ユーザにマークし直すように通知するようにしてもよい。
【００１８】
ここでは、図５に示す画像処理パラメータ値の対応図を使用して設定する。図５は、マークされた位置と、画像処理パラメータ値を一対一に対応付けるように分割された領域の図である。図３における円の範囲を完全に含むように、正方形９ｘ９マスにて領域を分割する５０１。それぞれ分割された正方形５０２には、１対１に対応する画像処理パラメータがあらかじめ設定されており、パラメータ値は表１に示す画像処理パラメータテーブルとして対応付けられており、例えば画像処理手段２０８やパラメータテーブルを記憶するためのメモリ（不図示）に記憶しておく。また、円の範囲を完全に含むようにすることにより、利用者がマークする際に若干のずれが発生した場合においても、できるだけ画像処理パラメータ値を反映させることができる。５０３は、利用者が設定した画像処理パラメータ値を指定するマークを表している。もし、マーク５０３が、全領域を示す５０１の範囲に存在しない場合は、前記ステップ４０４で範囲内にマークがないと判断されることとなる。５０４は分割領域の行位置を表す番号である。５０５は分割領域の列位置を表す記号である。この例の場合、９ｘ９のマスに分割された領域のうち７−Ｂの領域に属することが判断できる。そして、７−Ｂに対応するパラメータ値を記画像処理パラメータテーブルから読み出して、マーク位置に対応する画像処理パラメータ値を設定することができる。ここでは７−Ｂに対応する画像処理パラメータ値は明−２、彩−３となっており、明るさ−２、彩度−２で設定することとなる。
【００１９】
次に、ステップ４０７で、ステップ４０５、もしくはステップ４０６にて設定された画像処理パラメータ値で画像処理を行う。まず、メモリカード制御手段２０９にて画像ファイルの読み出しが行われる。続いて画像処理手段２０８において、画像ファイルの伸張処理が行われ、ステップ４０５、もしくはステップ４０６にて指定された画像処理パラメータ値にて画像処理が行われる。
【００２０】
以降の印刷処理については、スケーリング処理、色処理、２値化処理などの画像処理が画像処理手段２０８によってなされる。また、プリントエンジン制御手段２０７により、給紙動作制御や、プリントヘッドの制御がなされるが、これらの一連の制御、および処理手順に関しては、公知の技術にて実現でき、本発明の本質に影響しないため、ここでは詳細な説明を省略する。
【００２１】
上記手順により、従来では、たとえば、２つの画像処理パラメータ値がそれぞれ９段階をとり得る場合は、図５にて分割された領域数とおなじ９ｘ９＝８１サンプル画像を印刷してマークする必要があったが、本発明により、少ないサンプル数でも、マークの位置によって画像処理パラメータ値を指定することにより、十分に画像処理パラメータ値を決定することができる。
【００２２】
（第２の実施例）
第２の実施例では、本発明を赤目補正処理に適応した場合について、詳細に説明する。図６は、赤目補正を行う場合に用いられる設定シートの印刷例である。赤目補正用の設定シートには、図３と同様に、シートの設定概要を示すガイド領域６０１を備えている。そして画像処理パラメータの中心となるサンプル画像６０４が中央に配置される。また、マーク可能な範囲として外側の円６０５がガイドとして印刷され、この外側の円６０５の内側にあたる範囲６０３が有効なマーク範囲として示される。第１の実施例で用いた設定シートと比べ、変化の度合いを確認しやすくするために、外側の円にも異なるパラメータ設定値にて設定されたサンプル６０２が配置されている。また中央の円６０６は、画像処理パラメータ値が連続的に変化するサンプル画像群の範囲をあらわしている。６０７は画像処理パラメータ値の変化の方向を示すためのガイドである。ここでは、円の中心から外側に向かう方向に対して、赤目補正時における目の領域を検出するための強度が変更されたサンプルが配置されていることを表しており、時計回りの回転方向に対して瞳の色が変更されるようにサンプルが配置されていることを表している。６０８は、設定シートであることを示す画像処理設定シート識別マーカ６０８である。第１の実施例とは、異なる設定を行うため、違う記号で印刷されている。
【００２３】
設定シート上にマークされた位置に応じて、画像処理パラメータ値を決定するステップの詳細な手順は、前記第１の実施例で示した図４のフローチャートの手順で実現することができる。そのため、図４のフローチャートにおけるステップ４０１から、ステップ４０４までの手順は、第１の実施例と同じであり、ここでは詳細な説明を省略する。
【００２４】
ステップ４０５における画像処理パラメータ値の設定方法について、図７を用いて説明する。図７は赤目補正の画像処理パラメータ値を設定するマーク位置の距離と角度を表す図である。７０１は利用者が設定した画像処理パラメータ値を指定するマークを表している。また、７０２は、円の中心からマークされた位置までの距離を表している。７０３は、１２時方向を基準０度として、マークされた位置の角度を表している。ここで、利用者によって決定されたマーク７０１は、ステップ４０３の時点で、前記ドキュメント解析手段２０４により、円の中心から半径の８０％の離れた位置にあり、また１２時の方向から時計周り方向に１３０度の位置にマークされていると解析される。もしこの解析の結果、距離が半径の１００％を超える場合、前記ステップ４０４にてマーク位置が範囲を超えていると判断されるため、パラメータ値はあらかじめ決定された値が設定されることとなる。
【００２５】
図８は円の中心からの距離と、角度に応じて赤目補正処理のパラメータを決定するための対応を示す図である。
【００２６】
８０１は、円の中心からマーク位置までの距離と、検出の強度との対応を表すグラフである。横軸方向は、円の中心からマーク位置までの距離を表している。縦軸方向は目の領域を検出するための強度値を表しており、強度が１００に近づくにつれて、目の領域判定が緩やかになる。つまり、「目」として検出される領域の可能性が高まる。また、強度が０に近づくにつれて、「目」として検出される領域の可能性が低くなるように処理がなされる。グラフでは、円の中心からマーク位置までの距離と、強度の値が線形で表されているため、前記ドキュメント解析手段２０４によって得られた距離の値をそのまま領域検出のための値として使用することができる。また、このグラフはあらかじめ決められたカーブのほかに、対象となる画像データを解析して作成することで、それぞれの画像の特徴に合わせたカーブを動的に生成し、領域判定のための値としても良い。８０１のグラフより、マーク位置７０１では領域検出の強度値として８０が設定される。
【００２７】
８０２は瞳の色と角度との対応を表すグラフである。横軸方向に、１２時方向からの角度を表している、縦軸方向は、瞳の色を表している。ここでは、瞳の色に関して、色を特定する名称でグラフが表現されているが、これはＲＧＢによる表現、ＣＭＹＫによる表現など、離散化された値によってマッピングされており（不図示）、実際の画像処理においては、これら離散化された値によって画像処理の演算がなされる。ここでは、ＲＧＢ各８ビットで表現されており、１３０度に対応するＲＧＢ値は１４５，９５，４５が設定される。以上の処理がステップ４０５にて実行される。
【００２８】
ステップ４０６では、第１の実施例と同様に、ステップ４０３にて、マーク位置が適切な範囲内にないと判断されたため、あらかじめ決められた画像処理パラメータ値に設定することとなる。
【００２９】
次に、ステップ４０７で、ステップ４０５、もしくはステップ４０６にて設定された赤目補正処理のパラメータ値で赤目補正を実行する。以降の印刷処理については、第１の実施例と同様にここでは、詳細な説明を省略する。
【００３０】
上記手順により、従来では、連続する変化量毎に全てのサンプル画像を印刷してマークする必要があった、本発明により、マークの位置によって画像処理パラメータ値を指定することにより、少ないサンプル数でも、十分に画像処理パラメータ値を決定することができる。
【００３１】
なお、第２の実施例において、赤目補正のためのパラメータとして、目の領域を検出するための強度、および、瞳の色をパラメータ項目として例示したが、その他パラメータに対しても同様にして適応することができるため、前記パラメータとその組み合わせのみに限定するものではない。
【００３２】
【表１】
2006281663.tif 000003
【図面の簡単な説明】
【００３３】
【図１】本発明の実施の形態に係るＭＦＰ装置の概観斜視図
【図２】本発明の実施の形態に係るＭＦＰ装置の機能ブロック図
【図３】本発明の第１の実施例における、明るさと彩度の画像処理パラメータ値を設定する設定シートの印刷例を示す図
【図４】本発明の第１の実施例における、画像処理パラメータ値を設定する手順を示すフローチャート
【図５】本発明の第１の実施例における、明るさと彩度の画像処理パラメータ値を設定するマーク位置と設定値を表す対応図
【図６】本発明の第２の実施例における、赤目補正の画像処理パラメータ値を設定する設定シートの印刷例を示す図
【図７】本発明の第２の実施例における、赤目補正の画像処理パラメータ値を設定するマーク位置の距離と角度を表す図
【図８】本発明の第２の実施例における、赤目補正の画像処理パラメータ値を設定するマーク位置の距離と角度の値に対応したグラフ
【符号の説明】
【００３４】
１０００  ＭＦＰ装置
１００１  上部カバー
１００２  排紙トレー
１００３  コネクタ
１００４  カードスロット
１００５  液晶表示部
１００６  操作部
２０１  通信手段
２０２  操作制御手段
２０３  表示制御手段
２０４  ドキュメント解析手段
２０５  スキャンエンジン制御手段
２０６  システム制御手段
２０７  プリントエンジン制御手段
２０８  画像処理手段
２０９  メモリカード制御手段
３０１  シートの設定概要を示すガイド領域
３０２  画像処理パラメータ値のとり得る最大値に設定されたサンプル画像
３０３  有効なマーク範囲
３０４  画像処理パラメータの中心となるサンプル画像
３０５  マーク可能な範囲
３０６  画像処理パラメータの中心値から最大値、もしくは最小値からの中間の値をとるサンプル画像群の範囲
３０７  画像処理パラメータ値の変化の方向を示すためのガイド
３０８  画像処理設定シート識別マーカ
５０１  ９ｘ９マスの領域
５０２  分割されたそれぞれの正方形領域
５０３  利用者が設定した画像処理パラメータ値を指定するマーク
５０４  分割領域の行位置を表す番号
５０５  分割領域の列位置を表す記号
６０１  シートの設定概要を示すガイド領域
６０２  異なるパラメータ設定値にて設定されたサンプル
６０３  有効なマーク範囲
６０４  画像処理パラメータの中心となるサンプル画像
６０５  マーク可能な範囲
６０６  画像処理パラメータの中心値から最大値、もしくは最小値からの中間の値をとるサンプル画像群の範囲
６０７  画像処理パラメータ値の変化の方向を示すためのガイド
６０８  画像処理設定シート識別マーカ
７０１  利用者が設定した画像処理パラメータ値を指定するマーク
７０２  円の中心からマークされた位置までの距離
７０３  １２時方向を基準０度として、マークされた位置の角度
８０１  円の中心からマーク位置までの距離と、検出の強度との対応を表すグラフ
８０２  瞳の色と角度との対応を表すグラフ
【図１】
2006281663.tif 000004
【図２】
2006281663.tif 000005
【図３】
2006281663.tif 000006
【図４】
2006281663.tif 000007
【図５】
2006281663.tif 000008
【図６】
2006281663.tif 000009
【図７】
2006281663.tif 000010
【図８】
2006281663.tif 000011